(57)【特許請求の範囲】
【請求項１】
ディスク状記録媒体を回転させながらヘッドによって記録および／または再生を行なうようにしたディスク式記録再生装置において、
前記ディスク状記録媒体を記録再生位置と取出し位置との間で移動させるトレーと、
前記ディスク状記録媒体の回転駆動部と前記ヘッドとを搭載するベースユニットと、
前記ベースユニット上で前記ヘッドを前記ディスク状記録媒体の半径方向に移動させる移動手段と、
前記ベースユニットを記録再生位置に引込まれたトレーに対して昇降動作させる昇降手段と、
前記ヘッドに設けられた被拘束部と、
前記トレーに設けられた拘束部と、
を具備し、この装置の非動作状態で前記昇降手段によって前記ベースユニットが上昇されて前記ヘッドの被拘束部が前記トレーの拘束部によって拘束されることを特徴とするディスク式記録再生装置。
【請求項２】
前記拘束部が前記トレーの下部に設けられた当接部であって、前記ヘッドに設けられている突起状の被拘束部を拘束することを特徴とする請求項１に記載のディスク式記録再生装置。
【請求項３】
前記ヘッドに設けられている被拘束部は前記ディスク状記録媒体の投影面積の外側の退避位置で前記拘束部によって拘束されることを特徴とする請求項１に記載のディスク式記録再生装置。
【発明の詳細な説明】
【０００１】
【発明の属する技術分野】
本発明はディスク式記録再生装置に係り、とくにディスク状記録媒体を回転させながらヘッドによって記録および／または再生を行なうようにしたディスク式記録再生装置に関する。
【０００２】
【従来の技術】
ＣＤ（コンパクトディスク）やＤＶＤのような光ディスクから成るディスク状記録媒体を用いて記録および／または再生を行なうようにしたディスク式記録再生装置が音楽や映像の記録再生に広く用いられている。さらにはこのようなディスク状記録媒体はコンピュータ等の情報処理装置の記憶装置として用いられている。
【０００３】
この場合に上記のディスク状記録媒体はトレーに載置されるとともに、トレーが引出し位置から記録再生位置に引込まれる。そしてこの状態でターンテーブルが下方から上昇し、トレーからディスク状記録媒体を浮上がらせて回転駆動させる。このような状態においてディスク状記録媒体に対して光学ピックアップを半径方向に移動させながら記録あるいは再生を行なう。
【０００４】
【発明が解決しようとする課題】
従ってこのようなディスク式記録再生装置は、光学ピックアップをディスク状記録媒体の半径方向に移動可能に支持している。そしてステッピングモータ等によって送りねじを用いて上記光学ピックアップを移動させるようにしている。従ってこのような記録再生装置の輸送時等に何等かの衝撃が光学ピックアップに加わると、上記光学ピックアップがガイド軸上を摺動し、これによって初期位置が変更される可能性がある。また場合によっては光学ピックアップが他の部品と接触し、これによって損傷する可能性がある。
【０００５】
【発明が解決しようとする課題】
特開平８−９６５３０号公報には、光学ピックアップを固定するためのフックと、光学ピックアップが所定の位置にきたことを確認するための検知スイッチと、フックを駆動するモータと、フックを回転させるためのラックと、ラックにモータからの駆動力を伝えるギヤ等を設け、電源スイッチを押すかプログラムを用いたソフト的な電源を切る命令を与えると、予め定められた位置に光学ピックアップを移動させ、その後に光学ピックアップの動きを制限した上で装置全体の電源を切ることによって、光ディスクを挿入した状態でなおかつ電源を切った場合にも、光学ピックアップの損傷が防止されるようになる。
【０００６】
しかるにこのような光学ピックアップの保護装置は部品点数が多く、複雑な構成を有し、しかもソフトウエアによって制御されるようになっているために、必ずしも物流段階での衝撃から光学ピックアップを保護することができないという問題があった。
【０００７】
本発明はこのような問題点に鑑みてなされたものであって、装置が非動作時にヘッドが案内手段によって摺動するのを防止してヘッドを保護するようにしたディスク式記録再生装置を提供することを目的とする。
【０００８】
【課題を解決するための手段】
【００１０】
本願の主要な発明は、ディスク状記録媒体を回転させながらヘッドによって記録および／または再生を行なうようにしたディスク式記録再生装置において、
前記ディスク状記録媒体を記録再生位置と取出し位置との間で移動させるトレーと、
前記ディスク状記録媒体の回転駆動部と前記ヘッドとを搭載するベースユニットと、
前記ベースユニット上で前記ヘッドを前記ディスク状記録媒体の半径方向に移動させる移動手段と、
前記ベースユニットを記録再生位置に引込まれたトレーに対して昇降動作させる昇降手段と、
前記ヘッドに設けられた被拘束部と、
前記トレーに設けられた拘束部と、
を具備し、この装置の非動作状態で前記昇降手段によって前記ベースユニットが上昇されて前記ヘッドの被拘束部が前記トレーの拘束部によって拘束されることを特徴とするディスク式記録再生装置に関するものである。
【００１１】
ここで前記拘束部が前記トレーの下部に設けられた当接部であって、前記ヘッドに設けられている突起状の被拘束部を拘束するようにしてよい。また前記ヘッドに設けられている被拘束部は前記ディスク状記録媒体の投影面積の外側の退避位置で前記拘束部によって拘束されることが好適である。
【００１３】
本願に含まれる発明の好ましい態様は、光学ピックアップをガイドロッドによってディスク状記録媒体の半径方向に摺動可能にしたディスク式記録再生装置において、光学ピックアップが所定の位置で待機する際に、光学ピックアップをトレーに引掛ける構造を付加し、この構造によって落下時等のように外部から衝撃が加わった場合に光学ピックアップが他の部品に衝突するのを防ぐ機能を付与するようにしたものである。従って輸送時等に何等かの衝撃が加わったときに光学ピックアップがガイド軸上を滑って初期の位置が変ることがなく、あるいはまた光学ピックアップが他の部品と衝突することが回避される。従ってガイド軸に沿って摺動するタイプの光学ピックアップを有するディスク式記録再生装置において、電源スイッチをオフに切換えたときに光学ピックアップの位置をある程度規制することができるとともに、光学ピックアップが他の部品に衝突するのを防ぐことが可能になる。
【００１４】
【発明の実施の形態】
（１）構成の説明
全体の構成
図１および図２は本発明の一実施の形態に係るディスク式記録再生装置の全体の構成を示すものであって、このディスク式記録再生装置は偏平な直方体状をなす外筐１０を備えている。そしてこの外筐１０の前面側の開口がフロントパネル１１によって閉塞される構造になっている。フロントパネル１１には横長開口１２が形成され、この横長開口１２によってトレー１３が図１および図２に示すように引出し自在に挿入されるようになっている。なおトレー１３は外筐１０の内側であってその両側に設けられている段部１８によって支持された状態で摺動するようになっている。
【００１５】
トレー１３にはそのほぼ中央部に凹部１４が形成され、この凹部１４によってディスク状記録媒体を収納保持するようにしている。また凹部１４を横切るように移動方向に延びる開口１５が形成されている。開口１５の奥側はＵ字状切込み１６から構成され、手前側は半円形の切込み１７から構成されている。これらの切込み１６、１７にそれぞれ光学ピックアップが侵入し得るようにしている。
【００１６】
外筐１０の内側には図３および図４に示すようにチャッキングスライダ２０が取付けられる。チャッキングスライダ２０は左右の壁部と中間の連結部とから構成され、連結部には摺動方向に延びる長孔２１が形成され、この長孔２１が外筐に螺着されるビス２２に係合し、これによってトレー１３の長さ方向に摺動可能に支持されている。
【００１７】
チャッキングスライダ２０にはその両側の壁部にそれぞれ前後一対ずつのカム溝２３が形成されるとともに、一方の側部にはラック２４が形成されている。このラック２４がトレー１３を自走させるためのものである。またラック２４の下側であって前端側には非常搬出用ラック２５が設けられている。このラック２５はトレー１３の駆動部が故障してトレー１３を排出できなくなった場合に、非常引出しピニオンと噛合わせてトレー１３の排出を行なうためのものである。
【００１８】
ベースユニット３０の構成
チャッキングスライダ２０の上側には図２および図５に示すようにベースユニット３０が配されている。ベースユニット３０は偏平な容器状をなし、その左右の両側にはそれぞれ２本のピン３１が設けられている。これらのピン３１がチャッキングスライダ２０の両側の壁部のカム溝２３に受入れられるとともに、さらにピン３１の先端側の部分が外筐１０の両側の壁部の内側に設けられている縦溝３２に係合され、これによってベースユニット３０は高さ方向に昇降自在に支持されるとともに、チャッキングスライダ２０のカム溝２３によってその高さが制御されるようになっている。
【００１９】
ベースユニット３０上にはＤＶＤ用光学ピックアップ３３とＤＶＲ用光学ピックアップ３４とが配されている。ＤＶＤ用光学ピックアップ３３はガイドロッド３５と送りねじ３６とによって案内され、しかも送りねじ３６の端部に設けられているステッピングモータ３７が駆動されると送りねじ３６によってディスク状記録媒体の半径方向に移動されるようになっている。
【００２０】
これに対してＤＶＲ用光学ピックアップ３４は一対のガイドロッド３８、３９によって支持されるとともに、送りねじ４０をステッピングモータ４１によって駆動することによって、ディスク状記録媒体の半径方向に移動されるようになっている。
【００２１】
なお上記一対の光学ピックアップ３３、３４はベースユニット３０上にブラケット４２を介して取付けられているターンテーブル４３に対してその前後に位置している。すなわちターンテーブル３３に対して引出し方向側にＤＶＤ用光学ピックアップ３３が配され、ターンテーブル４３に対して挿入方向側にＤＶＲ用光学ピックアップ３４が配されている。
【００２２】
またベースユニット３０は一対のサポートピン４４と両側のサポートアーム４５とを備えている。これらのサポートピン４４とサポートアーム４５とによって、図７〜図９に示すようにＤＶＲカートリッジ１２２がトレー１３によって引込まれた場合には、ベースユニット３０の上昇動作によってトレー１３から浮かした状態でこのカートリッジ１２２を支持するようにしている。なおベアディスク１２１はこれらのサポートピン４４およびサポートアーム４５によっては支持されず、図１０〜図１２に示すようにターンテーブル４３によってその中心部が支持されるようになっている。
【００２３】
トレー１３の駆動部４７の構成
次にトレー１３を自走させるためにこのトレー１３上に搭載されている駆動部４７の構造について図１３〜図１７により説明する。駆動部４７を構成するシャーシ４７によってモータ４８が取付けられるとともに、このモータ４８の出力軸に図１３に示すようにウオーム４９が固着されている。そしてウオーム４９がウオームギヤ５０に噛合っている。ウオームギヤ５０は同軸の歯車を備えるとともに、この歯車が歯車５１に噛合っている。そして歯車５１と同軸の歯車５２が歯車５３に噛合っている。歯車５３は首振り可能な歯車５４に噛合っている。そして歯車５４が歯車５５に噛合うとともに、歯車５５に同軸状にピニオン５６が固着されている。
【００２４】
歯車５４が首を振ると別の歯車５７に噛合う。歯車５７は同軸の歯車を備え、この同軸の歯車が歯車５８に噛合い、さらにこの歯車５８と同軸の歯車５９が上記歯車５５に噛合っている。
【００２５】
次に歯車５４の首振り機構について説明する。図１５に示すようにシャーシ４７上には切換え板６２が配され、長孔６３がシャーシ４７に植設されているピン６４に係合し、これによって図１５において左右の方向に摺動可能に支持されている。しかも切換え板６２はばね６５によって図１５において右方に摺動付勢されている。また切換え板６２の右端側は折曲げ片から成る当接部６６を備えている。
【００２６】
上記シャーシ４７上には図１６に示す首振りレバー６７が支点軸６８を中心として回動可能に支持されている。そしてこの首振りレバー６７には強制軸６９が植設され、この強制軸６９が切換え板６２の係合孔７０に係合されている。係合孔７０はその両側が幅の狭い拘束部７１、７２から構成されるとともに、拘束部７１、７２の中間が幅の広い首振り部７３になっている。
【００２７】
強制軸６９が一方の拘束部７１に拘束されている場合には、図１３に示すように歯車５４は歯車５５と噛合う。これに対して強制軸６９が別の拘束部７２にある場合には図１４に示すように歯車５５が歯車５７に噛合う。また上記歯車５４は図１７に示すようにその支軸に圧縮コイルばね７４を備え、この圧縮コイルばね７４によって歯車５４に回転負荷を与え、歯車５３が回転したときにその回転方向に歯車５４が首振り運動を行なうようにしている。
【００２８】
トレー１３およびチャッキングスライダ２０のロック機構
次に上記トレー１３およびチャッキングスライダ２０をロックするロックレバー７８について図１８により説明する。外筐１０の底部であって後方には支軸７９が植設され、この支軸７９によってロックレバー７８が回動自在に支持されている。そしてロックレバー７８はつる巻きばね８０によって図１８において支軸７９を中心として反時計方向に回動されている。そしてロックレバー７８にはトレー１３をロックするためのロックピン８１とチャッキングスライダ２０をロックするためのフック８２とが設けられている。
【００２９】
これに対してトレー１３の後部であってその下面には図１９に示すようにＬ字状ロック溝８５が形成され、このＬ字状ロック溝８５の屈曲した先端側の部分がロック部８６になっている。
【００３０】
またチャッキングスライダ２０の後端側であってその右側の側部には図１９に示すように凹部８７が形成され、この凹部８７の終端が端部８８になっている。凹部８７の端部８８にロックレバー７８のフック８２が係合されると、チャッキングスライダ２０がロックされる。またチャッキングスライダ２０の端部８８の外側がカム面８９になっており、このカム面８９によってフック８２を規制すると図２０および図２１に示すように、ロックレバー７８がトレー１３をロックした状態で保持するようになっている。
【００３１】
上記支軸７９には同軸状に押戻しレバー９０が回動可能に支持されている。押戻しレバー９０はその一端側の被押圧部９１が図２１に示すチャッキングスライダ２０の先端側の段部９２と当接されるようになっている。そして押圧レバー９０がチャッキングスライダ２０の段部９２に押されて反時計方向に回動されると、押戻しレバー９０がトレー１３の後部の当接部９３を押し、これによってトレー１３を引出し側に押出すようになっている。この動作は非常引出しピニオンによる引出し動作の際に利用される。
【００３２】
ＤＶＲ用光学ピックアップ３４の拘束機構
次にＤＶＲ用光学ピックアップ３４が外部からの衝撃によって不測にガイドロッド３８、３９に沿って移動するのを防止するようにした拘束機構について説明する。図２７〜図２９に示すように、ＤＶＲ用光学ピックアップ３４のベースの一側部であって摺動方向の端部には上方に突出するように突柱から成る被拘束部９６が形成されている。そしてこのような被拘束部９６に対応してトレー１３の下面には横断面がコ字状をなす当接壁から成る拘束部９７が形成されている。
【００３３】
ＤＶＲ用光学ピックアップ３４が非動作位置へ退避した状態で、しかもベースユニット３０がチャッキングスライダ２０によってトレー１３側に上昇されると、拘束部９７が被拘束部９６を拘束することになり、これによってＤＶＲ用光学ピックアップ３４のガイドロッド３８、３９に沿った摺動動作が阻止されることになる。
【００３４】
（２）動作および作用
全体の動作
次に上記のような構成に係るディスク式記録再生装置の全体の動作を説明する。図２に示すように図外のスイッチを操作して駆動部４７によってトレー１３を自走させてこのトレー１３を外筐１０のフロントパネル１１の横長開口１２から引出し、このトレー１３の凹部１４内にベアディスクまたはＤＶＲカートリッジを装着する。
【００３５】
このような状態で図外のスイッチを操作することによって、このトレー１３に搭載されている駆動部４７をモータ４８によって駆動し、これによってピニオン５６およびラック２４によってトレー１３を引込むように自走させる。これによってトレー１３は図１に示すように外筐１０内に収納される。
【００３６】
この後にトレー１３の駆動部４７の出力を利用してチャッキングスライダ２０をトレー１３の引出し方向、すなわち前方に移動させ、このチャッキングスライダ２０のカム溝２３によってベースユニット３０を上昇させる。これによってベースユニット３０上のターンテーブル４３が上昇し、ベアディスクまたはカートリッジ内のディスクを回転駆動する。そしてベアディスクの場合には、図５に示すステッピングモータ３７および送りねじ３６によってＤＶＤ用光学ピックアップ３３をこの光ディスクの半径方向に移動して記録および／または再生動作を行なう。これに対してＤＶＲ用カートリッジが搭載された場合には、ステッピングモータ４１および送りねじ４０によってＤＶＲ用光学ピックアップ３４を光ディスクの半径方向に移動しながら記録あるいは再生を行なう。
【００３７】
上記ベースユニット３０の上昇動作によってベースユニット３０がトレー１３側に近接する。そしてトレー１３によってＤＶＲカートリッジ１２２が記録再生位置へ引込まれた場合には、上昇するベースユニット３０のサポートピン４４とサポートアーム４５とによって図７〜図９に示すようにカートリッジ１２２が支持される。ベースユニット３０の上昇動作によってサポートピン４４およびサポートアーム４５の上端部がトレー１３の凹部１４に形成されている開口を通してその上に突出し、これによってカートリッジ１２２がトレー１３の凹部１４上において浮いた状態で支持されるようになる。またベアディスク１２１の場合には図１０〜図１２に示すように、上昇するベースユニット３０の上に設けられているターンテーブル４３によってその中心部が支持され、トレー１３の凹部１４から浮上がった状態で回転駆動される。
【００３８】
このように共通のターンテーブル４３を使いながらフォーマットが異なるＤＶＤ用光学ピックアップ３３とＤＶＲ用光学ピックアップ３４とがそれぞれディスクの半径方向に移動させる駆動手段を有し、一方の光学ピックアップが対応するフォーマットの記録媒体にアクセスしているときには、他の光学ピックアップの少なくとも対物レンズ、すなわちヘッド部がこの記録媒体の投影面積外に退避するようになっている。そのために複数の種類の光学ピックアップ３３、３４と記録媒体との干渉を回避できることになり、部品点数の削減と、ディスクの軸線方向の無駄なスペースや機構を不要とし、装置の高さ方向の寸法を抑えた記録再生装置を提供することが可能になる。
【００３９】
所定の記録あるいは再生動作を終了したならば、この後ベースユニット３０をトレー１３の駆動部４７によって下降させ、この後にトレー１３を駆動部４７の出力によって自走させて図２に示すようにトレー１３を引出す。そしてトレー１３の凹部１４からベアディスクあるいはカートリッジを取出すことになる。
【００４０】
駆動部４７によるトレー１３の自走の動作
トレー１３に設けられている駆動部４７は図１３および図１５に示すように切換え板６２を備え、ばね６５によって右方に摺動付勢されている。すなわち折曲げ片６６が突出した状態にある。従って首振りレバー６７の強制軸６９は図１５に示すように係合孔７０の拘束部７１によって拘束されている。そしてこの場合に歯車５４は歯車５５と噛合っている。
【００４１】
従ってモータ４８の回転はウオーム４９、ウオームギヤ５０、歯車５１、５２、５３、５４、５５の順に伝達され、ピニオン５６が駆動される。そしてピニオン５６がチャッキングスライダ２０のラック２４に噛合っており、しかもチャッキングスライダ２０がロックレバー７８のフック８２によってロックされているために（図１９参照）、ピニオン５６がラック２４上を転動する。従ってこのピニオン５６を備える駆動部４７を有するトレー１３が自走する。このようなトレー１３の自走動作によって、図１に示す状態と図２に示す状態に切換えられ、トレー１３は図２に示す引出し位置と図１に示す記録再生位置との間で往復動することが可能になる。
【００４２】
このようにトレー１３上にモータ４８と駆動部４７とを設け、この駆動部４７によってトレー１３を自走可能にした構造によれば、外筐１０側あるいはベースユニット３０側にトレー１３の駆動部を設ける必要がなくなる。とくに本実施の形態の記録再生装置は図５に示すようにターンテーブル４３に対してその前側にＤＶＤ用光ピックアップ３３を配し、後側にＤＶＲ用光学ピックアップ３４を配置している。従ってＤＶＤ用光学ピックアップ３３のさらに前方にトレー１３の駆動部を配置すると、奥行方向の寸法、すなわち図５における左右の方向の寸法が非常に大きくなる。これに対してトレー１３上に駆動部を配置すると、ベースユニット３０あるいは外筐１０上に駆動部を配する必要がなくなり、従ってトレー１３の移動方向の寸法を小さくし、装置全体の小型化を図ることが可能になる。
【００４３】
ベースユニット３０の上昇動作
トレー１３に設けられている駆動部４７の出力によってトレー１３を自走させ、トレー１３を引出し位置から記録再生位置へ移動させる。するとトレー１３は図２に示す状態から図１に示す状態に変化し、これによってトレー１３は外筐１０内に引込まれた状態になる。このときに図１９に示すように外筐１０の底部であって後側に設けられているロックレバー７８のロックピン８１がトレー１３の後側の部分に設けられているＬ字状ロック溝８５内に侵入する。さらにトレー１３は駆動部４７の出力によって後方に引込まれると、トレー１３のＬ字状ロック溝８５の終端がロックレバー７８のロックピン８１を押すために、図２０に示すようにロックレバー７８はばね８０に抗してピン７９を中心として時計方向に回動し、Ｌ字状ロック溝８５の側方に屈曲したロック部８６内にロックピン８１が侵入する。これによってＬ字状ロック溝８５のロック部８６がロックレバー７８のロックピン８１を拘束するとともに、図２１において矢印で示すようにカム８９を有するチャッキングスライダ２０が左方に移動すると、ロックレバー７８のフック８２がカム８９の側面によって回動を阻止され、その結果ロックレバー７８がトレー１３をロックする。
【００４４】
そして上述のロックレバー７８のピン７９を中心とする時計方向の回動によって、このロックレバー７８のフック８２が図２０に示すようにチャッキングスライダ２０の凹部８７から離脱する。これによってチャッキングスライダ２０のロックレバー７８によるロックが解除され、チャッキングスライダ２０はトレー１３の移動方向に移動可能になる。
【００４５】
そして駆動部４７によってトレー１３が記録再生位置へ引込まれると、この駆動部４７の切換え板６２の当接部６６が図１に示すように外筐１０の背面板に当接する。これによって当接部６６が押されて切換え板６２はばね６５に抗して図１４に示すように左方へ移動する。するとこの切換え板６２の係合孔７０の拘束部７１から強制軸６９が離脱するとともに、首振り部７３で強制軸６９が自由になり、首振りレバー６７が首振り動作を行なう。そしてさらに切換え板６２が左方へ移動すると、強制軸６９が別の拘束部７２内に導入され、ここで拘束される。従って首振りレバー６７が切換えられ、この首振りレバー６７上の歯車５４は図７に示すように歯車５５から離れ、歯車５７と噛合う。
【００４６】
従ってモータ４８の回転はウオーム４９、ウオームギヤ５０、歯車５１、５２、５３、５４、５７、５８、５９、５５の順に伝達され、ピニオン５６が駆動される。このときは図１３に示す噛合いの場合よりも歯車のギヤ比が大きくなり、ピニオン５６の回転速度が遅くなるとともに、そのトルクが増大する。
【００４７】
そしてこのように駆動部４７の切換え動作が行なわれるとともに、高いトルクを駆動部４７のピニオン５６が発生する。そしてこのような高い駆動トルクによって、ロックレバー７８のフック８２によるロックを解除されたチャッキングスライダ２０のラック２４が前方側、すなわちトレー１３を引出す方向と同じ方向に押される。なおここでチャッキングスライダ２０が少しだけ押された段階で、図２１に示すようにロックレバー７８のフック８２がチャッキングスライダ２０のカム面８９に乗上げ、これによってロックレバー７８の回動が規制され、このロックレバー７８のロックピン８１がトレー１３のＬ字状ロック溝８５のロック部８６に導入された状態を確実に保持するようにしている。
【００４８】
図２２Ａおよび図２２Ｂに示すようにトレー１３をその上に搭載されている駆動部４７によって自走させて引込むと、トレー１３は図２３に示すように記録再生位置に引込まれる。そしてその後さらにトレー１３の駆動部４７がモータ４８によって継続して駆動されると、駆動部４７が切換え板６２の移動動作によって切換えられるとともに、この駆動部４７の出力端を構成するピニオン５６がチャッキングスライダ２０のラック２４を送り、これによってチャッキングスライダ２０を図２４に示すように左方に移動させる。
【００４９】
チャッキングスライダ２０はその両側の側面にそれぞれカム溝２３を備え、このカム溝２３がベースユニット３０のピン３１を受入れている。しかもピン３１の先端部は外筐１０の両側に設けられている縦溝３２によって横方向の運動が規制されている。従ってチャッキングスライダ２０がトレー１３の駆動部４７によって駆動されて摺動運動を行なうと、カム溝２３の作用によってピン３１を介してベースユニット３０が上昇動作を行なう。
【００５０】
ベースユニット３０が上昇するとその上に搭載されているＤＶＤ用光学ピックアップ３３およびＤＶＲ用光学ピックアップ３４がそれぞれトレー１３の開口１５の半円形の切込み１７およびＵ字状切込み１６内に受入れられる。さらにベースユニット３０上のターンテーブル４３が開口１５内に侵入し、トレー１３によって導入された光ディスクを下面から支える。従って光ディスクはトレー１３から浮上がった状態で回転駆動されることになり、このときにＤＶＤ用光学ピックアップ３３またはＤＶＲ用光学ピックアップ３４がアクセスし、記録または再生動作が行なわれる。
【００５１】
図２５はトレー１３が引出された状態を示しており、このトレー１３の凹部１４にベアディスクまたはＤＶＲ用カートリッジを搭載するようにしている。そしてこの状態でトレー１３を引込むと図２６に示すようにトレー１３が記録再生位置に引込まれる。
【００５２】
ベースユニット３０の下降動作
ベアディスクまたはＤＶＤ用カートリッジによって記録または再生動作を行なっている際におけるベースユニット３０とトレー１３との関係は図２４Ａおよび図２４Ｂに示すようになっている。そして記録あるいは再生を終了したならば、トレー１３の駆動部４７のモータ４８を逆方向、すなわちトレー１３を排出する方向に駆動する。なおこのときには駆動部４７の切換え板６２の当接部６６が外筐１０の背面板に当接した位置にあるために、駆動部４７の歯車の噛合い状態は図１４に示す状態になっている。
【００５３】
従ってこのような状態でモータ４８が駆動されると、高い駆動トルクでピニオン５６がラック２４を後方、すなわち図２４において右方へ移動させる。従ってベースユニット３０の両側のピン３１を受入れているカム２３を有するチャッキングスライダ２０が右方へ移動し、図２３Ａおよび図２３Ｂに示す状態になる。従ってベースユニット３０のピン３１が縦溝３２に沿って下降する。従ってこのベースユニット３０上の一対の光学ピックアップ３３、３４はそれぞれトレー１３の開口１５の両側の切込み１７、１６から下方へ離脱する。またベースユニット３０の下降に伴ってターンテーブル４３も下降し、これによってベアディスクあるいはカートリッジがトレー１３の凹部１４に着座する。
【００５４】
さらに上述のチャッキングスライダ２０の移動動作によって、図２１に示すロックレバー７８のフック８２がカム面８９を摺動しながら図２０に示す状態を経て図１９に示すようにつる巻きばね８０の付勢力によってピン７９を中心として反時計方向に回動して凹部８７に落込む。
【００５５】
このようなロックレバー７８の支軸７９を中心とする反時計方向の回転によって、ロックレバー７８に設けられているロックピン８１がトレー１３のＬ字状のロック溝８５のロック部８６から離脱し、トレー１３のロックが解除される。しかもこのときにロックレバー７８の回転によってフック８２がチャッキングスライダ２０の凹部８７内に落込み、これによってチャッキングスライダ２０がロックされて図１９に示す状態になる。
【００５６】
この後さらにトレー１３の駆動部４７のモータ４８が回転を続けるために、トレー１３は駆動部４７のピニオン５６がロック状態のチャッキングスライダ２０のラック２４上を転動するようにして引出し位置へ移動する。そしてこの移動の初期の段階で駆動部４７の切換え板６２が外筐１０の背面側の板から離間するために、切換え板６２はばね６５によって右方へ移動し、駆動部４７は図１４に示す状態から図１３に示す状態に切換えられ、比較的速い速度で引出し動作が行なわれる。完全に引出されたならば、このトレー１３の凹部１４からベアディスクあるいはＤＶＲカートリッジを取出す。
【００５７】
ベースユニット３０の昇降機構の作用効果
このように本実施の形態のディスク式記録再生装置は、ディスクの回転部を構成するターンテーブル４３の前後に異なるフォーマットに対応した２つの光学ピックアップをもつものであって、ＤＶＲ専用カートリッジおよびＤＶＤ／ＣＤのベアディスクのコンパチブルなローディングを可能にした構造に関するものである。
【００５８】
ここでベースユニット３０はＤＶＲ用カートリッジに対する読書きを行なうためのＤＶＲ用光学ピックアップ（レーザ波長４０５ｎｍ）３４と、ＤＶＤ／ＣＤの記録再生を行なうＤＶＤ用光学ピックアップ（レーザ波長６５０ｎｍ／７８０ｎｍ、２波長レンズ付き）３３を備え、これらを上述の如くベースユニット３０の前後に配置する構造を採用している。そして外筐１０の底板上にスライド可能にチャッキングスライダ２０を配し、ベースユニット３０の左右両側にそれぞれ２本ずつ突出されたピン３１を介して垂直方向に昇降動作させる左右一対ずつのカム溝２３を設けている。さらにトレー１３の駆動部４７のピニオン５６と噛合うラック２４を有している。
【００５９】
これに対してトレー１３はＤＶＲ用カートリッジまたはＤＶＤ／ＣＤのベアディスクを装着することができる凹部１４と、ディスク回転部４３の前後に配される２つの光学ピックアップ３３、３４を受入れるための切込み１７、１６を連続して有する開口１５を備えている。またこのトレー１３にはモータ４８の回転を歯車列によって減速し、ラック２４に動力を伝達るピニオン５６を備え、この駆動部４７がトレー１３上であってその後部に組込まれる構造になっている。
【００６０】
外筐１０の底板上に設けられているロックレバー７８はチャッキングスライダ２０のロックを行なうためのフック８２と、トレー１３のロック溝８５のロック部８６に侵入するロックピン８１を備えている。そしてこのようなロックレバー７８が取付けられる支軸７９が植設される外筐は、チャッキングスライダ２０およびトレー１３の摺動のためのガイド部材を構成している。
【００６１】
ここで図１９に示すようにロックレバー７８がチャッキングスライダ２０をロックしている位置においては、このチャッキングスライダ２０のカム溝２３によってベースユニット３０は図２２に示すように下降した状態に示されている。そしてトレー１３の駆動部４７のモータ４８の回転はトレー１３の開閉の駆動力になる。
【００６２】
トレー１３が図１に示すように完全に引込まれる直前に、トレー１３に設けられたＬ字状ロック溝８５にロックレバー７８のロックピン８１が図１９に示すように侵入し、さらにトレー１３が引込まれるとロックレバー７８のロックピン８１がＬ字状ロック溝８５のロック部８６に引込まれるとともに、このときに図２０に示すようにロックレバー７８のフック８２がチャッキングスライダ２０の凹部８７から離脱してチャッキングスライダ２０のロックを解除する。
【００６３】
トレー１３が完全に引込まれてその駆動部４７の切換え板６２の当接部６６が外筐１０に当接すると駆動部４７が図１３の状態から図１４の状態に切換えられるとともに、駆動部４７のモータ４８の回転力はチャッキングスライダ２０の駆動力になる。このときにロックレバー７８のフック８２が図２１に示すように摺動するチャッキングスライダ２０のカム面８９上を摺動することになり、このためにロックレバー７８はつる巻きばね８０によって付勢されても反時計方向に回転することができなくなり、ロックレバー７８のロックピン８１がロック部８６に入った状態でトレー１３をその位置に固定する。そして駆動部４７の駆動力によって逆にチャッキングスライダ２０が引出し方向に押されることによって、ベースユニット３０の昇降が行なわれる。
【００６４】
従ってこのような構成は、一対の光学ピックアップ３３、３４をディスク回転部４３の前後に配置した装置において、トレー１３上であってその後端側にトレー駆動部４７を設けることによって、トレー１３の駆動装置の小型化を行なうことが可能になる。またロックレバー７８を用いてチャッキングスライダ２０およびトレー１３のロックの切換えを行なうことによって、トレー１３の移動動作とベースユニット３０の昇降動作とをトレー１３上に設けられている駆動部４７のモータ４８によって総て行なうことができ、これによって駆動部の数を少なくし、部品点数を削減するとともに、コストの低減を図ることが可能になる。
【００６５】
ＤＶＲ用光学ピックアップ３４の拘束動作
上述のようにベースユット３０上にはＤＶＤ用光学ピックアップ３３とＤＶＲ用光学ピックアップ３４とが搭載されている。とくにＤＶＲ用光学ピックアップ３４は一対のガイドロッド３８、３９によって案内され、ＤＶＲカートリッジ１２２の中に収納されるディスクの半径方向に移動可能に支持されている。そして図２７に示すように電源がオフの場合にはＤＶＲ用光学ピックアップ３４はＤＶＲカートリッジ１２２の投影面積の外側に停止している。またこのときにベースユニット３０はチャッキングスライダ２０によって上昇され、これによって高さ方向においてトレー１３に近接している。
【００６６】
従ってこの状態においては図２７、図２８、および図２９Ｂに示すように、ＤＶＲ用光学ピックアップ３４に設けられている被拘束部９６がトレー１３の拘束部９７によって拘束された状態にあり、外部からこの装置に衝撃が加わってもＤＶＲ用光学ピックアップ３４が移動しない。
【００６７】
この記録再生装置の電源スイッチをオフに切換え操作すると、このスイッチの操作に連動してトレー１３の駆動部４７がモータ４８によって駆動され、これによってトレー１３が移動しながら図２５に示す引出し位置から図２６に示す引込み位置であって記録再生位置側へ移動する。そしてトレー１３が図２６に示すように完全に外筐１０内に引込まれると、この後に図２０に示すようにロックレバー７８がトレー１３をロックするとともにチャッキングスライダ２０のロックを解除する。従ってチャッキングスライダ２０がトレー１３の引込み方向とは逆方向に押出され、これによってチャッキングスライダ２０のカム溝２３によってベースユニット３０が上昇する。これによってベースユニット３０上のＤＶＲ用光学ピックアップ３４がトレー１３と近接する位置に上昇し、図２９Ａの状態から図２９Ｂの状態に変化して被拘束部９６が拘束部９７の内側に入込んで拘束状態になる。
【００６８】
従ってこのような動作によれば、電源スイッチをオフに操作したときのＤＶＲ用光学ピックアップ３４の位置をＤＶＲカートリッジ１２２の投影面積の外側においてしかもその位置を規制することができる。またＤＶＲ用光学ピックアップ３４がガイドロッド３８、３９に沿って移動し、他の部品に衝突して損傷するのが防止される。
【００６９】
以上本発明を図示の実施の形態によって説明したが、本願に含まれる発明は上記実施の形態によって限定されることなく、本願に含まれる発明の技術的思想の範囲内において各種の変更が可能である。例えば上記実施の形態は光ディスクと一対の光学ピックアップ３３、３４から成る光学ヘッド装置によって構成される装置に関するものであるが、本願の発明はこのような構成のみに限定されるものではなく、光磁気ディスクや磁気ディスク、静電容量ディスク等の記録媒体と、この記録媒体に対して記録および／または再生を行なうヘッド装置の組合わせから成る装置に広く適用可能である。
【００７０】
【発明の効果】
【００７２】
本願の主要な発明は、ディスク状記録媒体を回転させながらヘッドによって記録および／または再生を行なうようにしたディスク式記録再生装置において、ディスク状記録媒体を記録再生位置と取出し位置との間で移動させるトレーと、ディスク状記録媒体の回転駆動部とヘッドとを搭載するベースユニットと、ベースユニット上でヘッドをディスク状記録媒体の半径方向に移動させる移動手段と、ベースユニットを記録再生位置に引込まれたトレーに対して昇降動作させる昇降手段と、ヘッドに設けられた被拘束部と、トレーに設けられた拘束部と、を具備し、この装置の非動作状態で昇降手段によってベースユニットが上昇されてヘッドの被拘束部がトレーの拘束部によって拘束されるようにしたものである。
【００７３】
従ってこのようなディスク式記録再生装置によれば、この装置の非動作状態においては昇降手段によってベースユニットが上昇され、ベースユニット上のヘッドに設けられた被拘束部がトレーに設けられた拘束部によって自動的に拘束されることになり、ベースユニットの上昇動作に連動して自動的にヘッドの拘束が行なわれることになる。それゆえ物流時などにおいて、ヘッドが外部からの衝撃や振動を受けて移動し破損したりすることが防止できる。
【図面の簡単な説明】
【図１】ディスク式記録再生装置の全体の構成を示す外観斜視図である。
【図２】同装置のトレーを引出した状態の外観斜視図である。
【図３】外筐の上部を開放した状態の外観斜視図である。
【図４】チャッキングスライダの外観斜視図である。
【図５】ベースユニットを組込んだ外筐の平面図である。
【図６】ベースユニットの外観斜視図である。
【図７】ＤＶＲ用カートリッジを搭載した状態のベースユニットの平面図である。
【図８】同側面図である。
【図９】同斜視図である。
【図１０】ベアディスクを搭載したベースユニットの平面図である。
【図１１】同側面図である。
【図１２】同外観斜視図である。
【図１３】トレーの駆動部の底面図である。
【図１４】切換えた状態のトレーの駆動部の底面図である。
【図１５】切換え板の切換え動作を示す底面図である。
【図１６】首振りレバーと首振りギヤとを示す拡大平面図である。
【図１７】同拡大正面図である。
【図１８】ロックレバーの平面図である。
【図１９】ロックレバーによるチャッキングスライダのロック動作を示す平面図である。
【図２０】ロックレバーによるトレーのロック動作を示す平面図である。
【図２１】ロックレバーに対するカム面による拘束動作を示す平面図である。
【図２２】トレーの引込み時における装置の要部縦断面図である。
【図２３】トレーの引込みを完了した状態の装置の要部縦断面図である。
【図２４】ベースユニットを上昇動作させた状態の装置の要部縦断面図である。
【図２５】トレーが引出された状態の平面図である。
【図２６】トレーを記録再生位置に引込んだ状態の装置の平面図である。
【図２７】光学ピックアップの拘束機構を示す要部側面図である。
【図２８】同要部平面図である。
【図２９】拘束部による光学ピックアップの拘束動作を示す要部斜視図である。
【符号の説明】
１０‥‥外筐、１１‥‥フロントパネル、１２‥‥横長開口、１３‥‥トレー、１４‥‥凹部、１５‥‥開口、１６‥‥Ｕ字状切込み、１７‥‥半円形の切込み、１８‥‥段部、２０‥‥チャッキングスライダ、２１‥‥長孔、２２‥‥ビス、２３‥‥カム溝、２４‥‥ラック、２５‥‥非常排出用ラック、３０‥‥ベースユニット、３１‥‥ピン、３２‥‥縦溝、３３‥‥ＤＶＤ用光学ピックアップ、３４‥‥ＤＶＲ用光学ピックアップ、３５‥‥ガイドロッド、３６‥‥送りねじ、３７‥‥ステッピングモータ、３８、３９‥‥ガイドロッド、４０‥‥送りねじ、４１‥‥ステッピングモータ、４２‥‥ブラケット、４３‥‥ターンテーブル、４４‥‥サポートピン、４５‥‥サポートアーム、４７‥‥駆動部（シャーシ）、４８‥‥モータ、４９‥‥ウオーム、５０‥‥ウオームギヤ、５１〜５５‥‥歯車、５６‥‥ピニオン、５７〜５９‥‥歯車、６２‥‥切換え板、６３‥‥長孔、６４‥‥ピン、６５‥‥ばね、６６‥‥折曲げ片（当接部）、６７‥‥首振りレバー、６８‥‥支点軸、６９‥‥強制軸、７０‥‥係合孔、７１、７２‥‥拘束部、７３‥‥首振り部、７４‥‥圧縮コイルばね、７８‥‥ロックレバー、７９‥‥支軸、８０‥‥つる巻きばね、８１‥‥ロックピン、８２‥‥フック、８５‥‥Ｌ字状ロック溝、８６‥‥ロック部、８７‥‥凹部、８８‥‥端部、８９‥‥カム面、９０‥‥押戻しレバー、９１‥‥被押圧部、９２‥‥段部、９３‥‥当接部、９６‥‥被拘束部（突柱）、９７‥‥拘束部（当接壁）、１２１‥‥ベアディスク、１２２‥‥ＤＶＲカートリッジ
【図１】
0003861988.tif 000002
【図２】
0003861988.tif 000003
【図３】
0003861988.tif 000004
【図４】
0003861988.tif 000005
【図５】
0003861988.tif 000006
【図６】
0003861988.tif 000007
【図７】
0003861988.tif 000008
【図８】
0003861988.tif 000009
【図９】
0003861988.tif 000010
【図１０】
0003861988.tif 000011
【図１１】
0003861988.tif 000012
【図１２】
0003861988.tif 000013
【図１３】
0003861988.tif 000014
【図１４】
0003861988.tif 000015
【図１５】
0003861988.tif 000016
【図１６】
0003861988.tif 000017
【図１７】
0003861988.tif 000018
【図１８】
0003861988.tif 000019
【図１９】
0003861988.tif 000020
【図２０】
0003861988.tif 000021
【図２１】
0003861988.tif 000022
【図２２】
0003861988.tif 000023
【図２３】
0003861988.tif 000024
【図２４】
0003861988.tif 000025
【図２５】
0003861988.tif 000026
【図２６】
0003861988.tif 000027
【図２７】
0003861988.tif 000028
【図２８】
0003861988.tif 000029
【図２９】
0003861988.tif 000030